(57)【要約】【課題】適切に著作権を保護することを可能としたデータ記憶装置及びデータ記憶装置から構成されるデータ移動システムを提供する。【解決手段】移動元ナビゲーション装置２のＨＤＤ５に記憶された移動対象データを使用不可能な状態に変更した移動データを生成し（Ｓ５）、生成した移動データを、携帯型メモリ４を用いて移動元ナビゲーション装置２から移動先ナビゲーション装置３のＨＤＤ６へと移動し（Ｓ６、Ｓ２３〜Ｓ２５）、移動元ナビゲーション装置２のＨＤＤ５に記憶された移動対象データが削除（Ｓ９）された後に、移動元ナビゲーション装置２において解除コードを案内し（Ｓ１１）、移動先ナビゲーション装置３において表示された解除コード入力画面において解除コードが入力された場合に、移動先ナビゲーション装置３のＨＤＤ６に記憶された移動データを使用可能な状態へと変更する（Ｓ３０）ように構成する。【選択図】図３
2011204078.tif 000002
【特許請求の範囲】
【請求項１】
移動対象データが記憶された記憶媒体と、
前記移動対象データに基づいて、前記移動対象データを使用不可能な状態に変更した移動データを生成する移動データ生成手段と、
前記移動対象データが削除された後に、前記移動データを移動した他の装置において前記移動データを使用可能な状態に変更する為の解除コードを案内する解除コード案内手段と、を有することを特徴とするデータ記憶装置。
【請求項２】
移動元装置の移動元データ記憶媒体に記憶された移動対象データを移動先装置の移動先データ記憶媒体へと移動させるデータ移動システムにおいて、
前記移動元装置の前記データ記憶媒体に記憶された移動対象データに基づいて、前記移動対象データを使用不可能な状態に変更した移動データを生成する移動データ生成手段と、
前記移動元データ記憶媒体に記憶された前記移動対象データが削除された後に、前記移動元装置において解除コードを案内する解除コード案内手段と、
前記移動先装置において前記解除コードを入力させる為の解除コード入力画面を表示する解除コード入力画面表示手段と、
前記解除コード入力画面において前記解除コードが入力された場合に、前記移動先装置の前記移動先データ記憶媒体に記憶された前記移動データを使用可能な状態へと変更するデータ解除手段と、を有することを特徴とするデータ移動システム。
【請求項３】
前記移動データが移動されたことを検出したときに、前記移動先装置において削除コードを案内する削除コード案内手段と、
前記移動元装置において前記削除コードを入力させる為の削除コード入力画面を表示する削除コード入力画面表示手段と、
削除コード入力画面において前記削除コードが入力された場合に、前記移動元装置の前記移動元データ記憶媒体に記憶された前記移動対象データを削除するデータ削除手段と、を有することを特徴とする請求項２に記載のデータ移動システム。
【請求項４】
前記移動元装置は、前記移動元装置を識別するための移動元識別ＩＤを記憶する移動元ＩＤ記憶媒体を備え、
前記移動元装置において前記移動先装置を識別するための移動先識別ＩＤを入力させる為の移動先識別ＩＤ入力画面を表示する移動先識別ＩＤ入力画面表示手段を有し、
前記移動データ生成手段は、前記移動先識別ＩＤ入力画面において前記移動先識別ＩＤが入力された場合に、前記移動元識別ＩＤと前記移動先識別ＩＤとに基づいて前記移動データを生成することを特徴とする請求項３に記載のデータ移動システム。
【請求項５】
前記移動先装置は、前記移動先識別ＩＤを記憶する移動先ＩＤ記憶媒体を備え、
前記移動データとともに前記移動元識別ＩＤが前記移動元装置から前記移動先装置の前記移動先データ記憶媒体へ移動されたことを検出したときに、前記移動先装置において前記移動元識別ＩＤと前記移動先識別ＩＤとに基づいて前記削除コードを生成する削除コード生成手段を有し、
前記削除コード案内手段は、前記削除コード生成手段により生成された前記削除コードを案内することを特徴とする請求項４に記載のデータ移動システム。
【請求項６】
前記移動元装置において前記移動元識別ＩＤと前記移動先識別ＩＤとに基づいて前記解除コードを生成する削除コード生成手段を有し、
前記解除コード案内手段は、前記解除コード生成手段により生成された前記解除コードを案内することを特徴とする請求項４又は請求項５に記載のデータ移動システム。
【発明の詳細な説明】
【技術分野】
【０００１】
本発明は、記憶媒体にデータを記憶するとともに記憶されたデータを他の装置へと移動させる機能を備えたデータ記憶装置及びデータ記憶装置から構成されるデータ移動システムに関する。
【背景技術】
【０００２】
従来より、データを記憶する記憶媒体としてハードディスクドライブ（ＨＤＤ）やフラッシュメモリ等が知られているが、近年、これらの記憶媒体の大容量化及び小型化が実現されている。また、それに伴って、記憶媒体を内蔵し、内蔵した記憶媒体に記憶されたデータに基づいて、音楽や映像を出力するメディア再生装置が普及している。
【０００３】
しかしながら、これらのメディア再生装置が普及する一方で、著作物の複製に係る問題も浮上している。即ち、メディア再生装置に内蔵された記憶媒体に記憶されたデータを他の装置（他のメディア再生装置、パーソナルコンピュータ等）に複製（コピー）すると、複製元の装置と複製先の装置でそれぞれデータが使用可能となる。従って、音楽や映像などの著作物を劣化することなく複製されることとなる。
【０００４】
また、データを装置間で移動させる場合においても同様の問題が生じる虞がある。即ち、データを移動させる場合には、移動先の装置にデータをコピーしてから移動元の装置に記憶されているデータを削除するので、移動元の装置と移動先の装置でそれぞれデータが使用可能となる期間が生じるからである。しかし、メディア再生装置に内蔵された記憶媒体に記憶されたデータを他の装置へコピーすることを一切禁止すると、装置間でデータの移動ができない問題も生じる。
【０００５】
ここで、車両に車載機として搭載されるナビゲーション装置では、音楽データを再生する際に、ＣＤ等のメディアから直接読み出さずに、メディアからリッピングした音楽データをナビゲーション装置が内蔵するＨＤＤに記憶し、ＨＤＤから音楽データを読み出すことが行われている。それによって、ＣＤ等のメディアを使わなくても多数の音楽データを再生することが可能となる。
【０００６】
しかしながら、ナビゲーション装置を買い替えた場合において、リッピングによって古いナビゲーション装置のＨＤＤに記憶された音楽データを新しいナビゲーション装置で再生可能にするためには、新しいナビゲーション装置でメディアから全ての音楽データをリッピングし直す必要があった。従って、古いナビゲーション装置のＨＤＤに記憶された音楽データを新しいナビゲーション装置のＨＤＤに移動可能な構成とすることが望まれていた。そこで、特開２０００−３２２８２６号公報には、装置に固有の識別子を記憶させ、特定の移動元の装置と移動先の装置とが接続されている場合においてのみデータの複製や移動を可能とする技術が記載されている。
【先行技術文献】
【特許文献】
【０００７】
【特許文献１】特開２０００−３２２８２６号公報（第１０頁〜第１２頁）
【発明の概要】
【発明が解決しようとする課題】
【０００８】
しかしながら、上記特許文献１に記載の技術では、移動元の装置と移動先の装置とを双方向通信可能に接続しなければならず、ナビゲーション装置のような車両に車載機として搭載される装置に対して適用することは難しい。従って、上記特許文献１に記載の技術では、著作権を適切に保護することができない問題があった。また、上記特許文献１に記載の技術では、データを移動する移動先の装置が限定されるので、データの移動が自由にできない問題があった。
【０００９】
本発明は前記従来における問題点を解消するためになされたものであり、他の装置へのデータの移動が必要以上に制限されることなく、他の装置へデータを移動させる場合であっても、適切に著作権を保護することを可能としたデータ記憶装置及びデータ記憶装置から構成されるデータ移動システムを提供することを目的とする。
【課題を解決するための手段】
【００１０】
前記目的を達成するため本願の請求項１に係るデータ記憶装置（２）は、移動対象データが記憶された記憶媒体（５）と、前記移動対象データに基づいて、前記移動対象データを使用不可能な状態に変更した移動データを生成する移動データ生成手段（９）と、前記移動対象データが削除された後に、前記移動データを移動した他の装置（３）において前記移動データを使用可能な状態に変更する為の解除コードを案内する解除コード案内手段（９）と、を有することを特徴とする。
【００１１】
また、請求項２に係るデータ移動システム（１）は、移動元装置（２）の移動元データ記憶媒体（５）に記憶された移動対象データを移動先装置の移動先データ記憶媒体（６）へと移動させるデータ移動システムにおいて、前記移動元装置の前記データ記憶媒体に記憶された移動対象データに基づいて、前記移動対象データを使用不可能な状態に変更した移動データを生成する移動データ生成手段（９）と、前記移動元データ記憶媒体に記憶された前記移動対象データが削除された後に、前記移動元装置において解除コードを案内する解除コード案内手段（９）と、前記移動先装置において前記解除コードを入力させる為の解除コード入力画面を表示する解除コード入力画面表示手段（１２）と、前記解除コード入力画面において前記解除コードが入力された場合に、前記移動先装置の前記移動先データ記憶媒体に記憶された前記移動データを使用可能な状態へと変更するデータ解除手段（１２）と、を有することを特徴とする。
尚、移動元装置から移動先装置へと移動データを移動させる手段としては、例えば、携帯型の記憶媒体（ＵＳＢフラッシュメモリ、メモリーカード等）を経由してデータを移動させることや、移動元装置と移動先装置とを有線又は無線により接続してデータを移動することを含む。
【００１２】
また、請求項３に係るデータ移動システム（１）は、請求項２に記載のデータ移動システムであって、前記移動データが移動されたことを検出したときに、前記移動先装置（３）において削除コードを案内する削除コード案内手段（１２）と、前記移動元装置（２）において前記削除コードを入力させる為の削除コード入力画面を表示する削除コード入力画面表示手段（９）と、削除コード入力画面において前記削除コードが入力された場合に、前記移動元装置の前記移動元データ記憶媒体に記憶された前記移動対象データを削除するデータ削除手段（９）と、を有することを特徴とする。
【００１３】
また、請求項４に係るデータ移動システム（１）は、請求項３に記載のデータ移動システムであって、前記移動元装置（２）は、前記移動元装置（３）を識別するための移動元識別ＩＤを記憶する移動元ＩＤ記憶媒体（４３）を備え、前記移動元装置において前記移動先装置を識別するための移動先識別ＩＤを入力させる為の移動先識別ＩＤ入力画面を表示する移動先識別ＩＤ入力画面表示手段（９）を有し、前記移動データ生成手段（９）は、前記移動先識別ＩＤ入力画面において前記移動先識別ＩＤが入力された場合に、前記移動元識別ＩＤと前記移動先識別ＩＤとに基づいて前記移動データを生成することを特徴とする。
【００１４】
また、請求項５に係るデータ移動システム（１）は、請求項４に記載のデータ移動システムであって、前記移動先装置（３）は、前記移動先識別ＩＤを記憶する移動先ＩＤ記憶媒体（４３）を備え、前記移動データとともに前記移動元識別ＩＤが前記移動元装置（２）から前記移動先装置の前記移動先データ記憶媒体（６）へと移動されたことを検出したときに、前記移動先装置において前記移動元識別ＩＤと前記移動先識別ＩＤとに基づいて前記削除コードを生成する削除コード生成手段（１２）を有し、前記削除コード案内手段（１２）は、前記削除コード生成手段により生成された前記削除コードを案内することを特徴とする。
【００１５】
更に、請求項６に係るデータ移動システム（１）は、請求項４又は請求項５に記載のデータ移動システムであって、前記移動元装置（２）において前記移動元識別ＩＤと前記移動先識別ＩＤとに基づいて前記解除コードを生成する削除コード生成手段（９）を有し、前記解除コード案内手段（９）は、前記解除コード生成手段により生成された前記解除コードを案内することを特徴とする。
【発明の効果】
【００１６】
前記構成を有する請求項１に係るデータ記憶装置では、解除コードを用いることによって、装置間でデータを移動した場合に、移動元のデータを削除するまで移動先でデータを使用不可能な状態とするので、他の装置へデータを移動させる場合であっても、適切に著作権を保護することが可能となる。また、従来と比べて他の装置へのデータの移動が必要以上に制限されることがない利点がある。
【００１７】
また、請求項２に係るデータ移動システムでは、解除コードを用いることによって、移動元の装置から移動対象データを削除するまで移動先の装置において移動したデータを使用不可能な状態とするので、移動元装置と移動先装置で移動対象データを使用可能となる期間が重なることがない。従って、他の装置へデータを移動させる場合であっても、適切に著作権を保護することが可能となる。また、従来と比べて他の装置へのデータの移動が必要以上に制限されることがない利点がある。
【００１８】
また、請求項３に係るデータ移動システムでは、移動データが移動先の装置に移動された後に移動先の装置で案内される削除コードを用いることによって、移動元の装置に記憶された移動対象データを削除するので、装置間でデータの移動を確実に行うことが可能となる。また、移動元装置と移動先装置で移動対象データを使用可能となる期間が重なることがない。
【００１９】
また、請求項４に係るデータ移動システムでは、移動元識別ＩＤと移動先識別ＩＤとに基づいて移動データが生成されるので、移動させる装置間の固有の形式によって移動データを生成することが可能となる。それによって、不特定多数の装置へと移動データが移動された場合であっても、移動先の装置でのみ移動データを使用可能な状態に変更できるので、適切に著作権を保護することが可能となる。
【００２０】
また、請求項５に係るデータ移動システムでは、移動元識別ＩＤと移動先識別ＩＤとに基づいて削除コードが生成されるので、移動させる装置間の固有の形式によって削除コードを生成することが可能となる。それによって、移動先装置へと移動データが移動されるまで、移動元の装置に記憶された移動対象データが削除されることなく、移動先装置へと移動データが移動された後は、移動元の装置に記憶された移動対象データを確実に削除することが可能となる。
【００２１】
更に、請求項６に係るデータ移動システムでは、移動元識別ＩＤと移動先識別ＩＤとに基づいて解除コードが生成されるので、移動させる装置間の固有の形式によって解除コードを生成することが可能となる。それによって、不特定多数の装置へと移動データが移動された場合であっても、移動先の装置でのみ移動データを使用可能な状態に変更できるので、適切に著作権を保護することが可能となる。
【図面の簡単な説明】
【００２２】
【図１】本実施形態に係るデータ移動システムを示した概略構成図である。
【図２】本実施形態に係るナビゲーション装置の構成を示したブロック図である。
【図３】本実施形態に係るデータ移動処理プログラムのフローチャートである。
【図４】液晶ディスプレイに表示される案内画面を示した図である。
【発明を実施するための形態】
【００２３】
以下、本発明に係るデータ記憶装置をナビゲーション装置に具体化した一実施形態に基づき図面を参照しつつ詳細に説明する。
先ず、本実施形態に係るナビゲーション装置を含むデータ移動システム１の概略構成について図１を用いて説明する。図１は本実施形態に係るデータ移動システム１を示した概略構成図である。
【００２４】
図１に示すように本実施形態に係るデータ移動システム１は、データの移動元となる移動元ナビゲーション装置２と、データの移動先となる移動先ナビゲーション装置３と、データを移動させるのに用いる携帯型の記憶媒体である携帯型メモリ４とから基本的に構成される。そして、移動元ナビゲーション装置２に内蔵されたハードディスクドライブ（ＨＤＤ）５に記憶されたデータを、移動先ナビゲーション装置３に内蔵されたＨＤＤ６へと移動させるシステムである。
【００２５】
ここで、移動元ナビゲーション装置２は、データを記憶させる記憶媒体としてのＨＤＤ５と、携帯型メモリ４を挿入するメモリ挿入口７と、メモリ挿入口７に挿入された携帯型メモリ４に対してデータの読み取り及び書き込みを行うリーダライタ８と、移動元ナビゲーション装置２の制御を行う電子制御ユニットであるナビゲーションＥＣＵ９とを備える。また、ＨＤＤ５には地図データの他、ＣＤ等のメディアからリッピングされた音楽データ等が記憶される。そして、移動元ナビゲーション装置２はＨＤＤ５に記憶された地図データに基づいて経路の探索や案内をする。また、ＨＤＤ５に記憶された音楽データに基づいて音楽をスピーカ（図示せず）から出力する。また、本実施形態ではＨＤＤ５に記憶された音楽データを、移動元ナビゲーション装置２のＨＤＤ５から移動先ナビゲーション装置３のＨＤＤ６へと移動させる対象のデータ（以下、移動対象データという）とする。従って、移動対象データ（音楽データ）の移動が完了した後は、対象となる移動対象データ（音楽データ）はＨＤＤ５から削除される。
【００２６】
また、移動先ナビゲーション装置３は、移動元ナビゲーション装置２と同様にデータを記憶させる記憶媒体としてのＨＤＤ６と、携帯型メモリ４を挿入するメモリ挿入口１０と、メモリ挿入口１０挿入された携帯型メモリ４に対してデータの読み取り及び書き込みを行うリーダライタ１１と、移動先ナビゲーション装置３の制御を行う電子制御ユニットであるナビゲーションＥＣＵ１２とを備える。また、ＨＤＤ５には地図データの他、移動対象データ（音楽データ）の移動が完了した後は、移動元ナビゲーション装置２から移動された移動対象データ（音楽データ）が記憶される。
尚、移動元ナビゲーション装置２及び移動先ナビゲーション装置３の構成に関しては後に詳細に説明する。
【００２７】
また、携帯型メモリ４は、例えばＵＳＢフラッシュメモリであり、所定容量までのデータを記憶することが可能な記憶媒体である。本実施形態では移動元ナビゲーション装置２のＨＤＤ５から移動先ナビゲーション装置３のＨＤＤ６へと移動対象データを移動させる際の移動手段として機能する。具体的には、携帯型メモリ４は、先ず移動元ナビゲーション装置２に接続される。そして移動元ナビゲーション装置２は、ＨＤＤ５から移動対象データを読み出し、移動対象データを使用不可能な状態に変更したデータ（以下、移動データという）を接続された携帯型メモリ４に記憶する。次に、携帯型メモリ４は移動元ナビゲーション装置２から取り外され、移動先ナビゲーション装置３に新たに接続される。その後、移動先ナビゲーション装置３は、接続されている携帯型メモリ４に記憶された移動データを読み出し、ＨＤＤ６に記憶する。更に、ＨＤＤ６に記憶された移動データを使用可能な状態、即ち、移動対象データへと変更する。それによって、移動元ナビゲーション装置２のＨＤＤ５から移動先ナビゲーション装置３のＨＤＤ６へと移動対象データが移動することとなる。
【００２８】
次に、本発明に係るデータ移動システム１を構成する移動元ナビゲーション装置２及び移動先ナビゲーション装置３の構成について図２を用いて説明する。尚、移動元ナビゲーション装置２及び移動先ナビゲーション装置３は基本的に同一の構成を有するので、以下では移動元ナビゲーション装置２を例に挙げて説明する。図２は本実施形態に係る移動元ナビゲーション装置２を示したブロック図である。
【００２９】
図２に示すように本実施形態に係るナビゲーション装置２は、ナビゲーション装置２が搭載された車両の現在位置を検出する現在位置検出部１３と、各種のデータが記録されたデータ記録部であるＨＤＤ５と、入力された情報に基づいて、各種の演算処理を行うナビゲーションＥＣＵ９と、ユーザからの操作を受け付ける操作部１４と、ユーザに対して車両周辺の地図を表示する液晶ディスプレイ１５と、経路案内に関する音声ガイダンスやＨＤＤ５に記憶された音楽データに基づく音楽を出力するスピーカ１６と、プログラムを記憶した記憶媒体であるＤＶＤを読み取るＤＶＤドライブ１７と、携帯型メモリ４に対するデータの読み取り及び書き込みを行うリーダライタ８と、プローブセンタやＶＩＣＳセンタ等の情報センタとの間で通信を行う通信モジュール１８と、から構成されている。
【００３０】
以下に、ナビゲーション装置２を構成する各構成要素について順に説明する。
現在位置検出部１３は、ＧＰＳ２１、車速センサ２２、ステアリングセンサ２３、ジャイロセンサ２４等からなり、現在の車両の位置、方位、車両の走行速度、現在時刻等を検出することが可能となっている。ここで、特に車速センサ２２は、車両の移動距離や車速を検出する為のセンサであり、車両の駆動輪の回転に応じてパルスを発生させ、パルス信号をナビゲーションＥＣＵ９に出力する。そして、ナビゲーションＥＣＵ９は発生するパルスを計数することにより駆動輪の回転速度や移動距離を算出する。尚、上記５種類のセンサをナビゲーション装置２が全て備える必要はなく、これらの内の１又は複数種類のセンサのみをナビゲーション装置２が備える構成としても良い。
【００３１】
また、ＨＤＤ５は、地図情報ＤＢ３１、音楽データ３２及び所定のプログラム等が記憶された記録媒体であって、ＨＤＤ５に記録されたデータを読み出すとともにＨＤＤ５に所定のデータを書き込む為のドライバである記録ヘッド（図示せず）とを備えている。
【００３２】
ここで、地図情報ＤＢ３１は、例えば、道路（リンク）に関するリンクデータ、ノード点に関するノードデータ、施設に関する施設データ、地図を表示するための地図表示データ、各交差点に関する交差点データ、経路を探索するための探索データ、地点を検索するための検索データ等が記憶された記憶手段である。
【００３３】
また、音楽データ３２は、ＤＶＤドライブ１７に挿入されたＣＤ等のメディアからリッピングされたデータである。そして、ナビゲーションＥＣＵ９はＨＤＤ５に記憶された音楽データ３２に基づいて、音楽をスピーカ１６から出力する。また、本実施形態では音楽データ３２が、他のナビゲーション装置へと移動される対象の移動対象データとなる。
【００３４】
一方、ナビゲーションＥＣＵ（エレクトロニック・コントロール・ユニット）９は、目的地が選択された場合に、地図情報ＤＢ３１に記憶されたリンクデータに基づいて出発地（現在位置や自宅）から目的地までの案内経路を設定する案内経路設定処理、移動対象データに基づいて、移動対象データを使用不可能な状態に変更した移動データを生成する移動データ生成処理、移動対象データが削除された後に、移動データを移動した移動先ナビゲーション装置３において移動データを使用可能な状態に変更する為の解除コードを案内する解除コード案内処理等のナビゲーション装置２の全体の制御を行う電子制御ユニットである。そして、演算装置及び制御装置としてのＣＰＵ４１、並びにＣＰＵ４１が各種の演算処理を行うにあたってワーキングメモリとして使用されるとともに、経路が探索されたときの経路データ等が記憶されるＲＡＭ４２、制御用のプログラムのほか、ナビゲーション装置２を識別する識別ＩＤやデータ移動処理プログラム（図３）等が記録されたＲＯＭ４３、ＲＯＭ４３から読み出したプログラムを記憶するフラッシュメモリ４４等の内部記憶装置を備えている。
【００３５】
操作部１４は、走行開始地点としての出発地及び走行終了地点としての目的地を入力する際等に操作され、各種のキー、ボタン等の複数の操作スイッチ（図示せず）から構成される。そして、ナビゲーションＥＣＵ９は、各スイッチの押下等により出力されるスイッチ信号に基づき、対応する各種の動作を実行すべく制御を行う。また、後述の識別ＩＤ、削除コード、解除コード等を入力する際にも用いられる。尚、操作部１４は液晶ディスプレイ１５の前面に設けたタッチパネルによって構成することもできる。
【００３６】
また、液晶ディスプレイ１５には、道路を含む地図画像、交通情報、操作案内、操作メニュー、キーの案内、出発地から目的地までの走行予定経路、走行予定経路に沿った案内情報、ニュース、天気予報、時刻、メール、テレビ番組等が表示される。また、後述の識別ＩＤ案内画面及び入力画面、削除コード案内画面及び入力画面、解除コード案内画面及び入力画面等についても表示される。
【００３７】
また、スピーカ１６は、ナビゲーションＥＣＵ９からの指示に基づいて走行予定経路に沿った走行を案内する音声ガイダンスや、交通情報の案内を出力する。
【００３８】
また、ＤＶＤドライブ１７は、ＤＶＤやＣＤ等の記録媒体に記録されたデータを読み取り可能なドライブである。そして、読み取ったデータに基づいて地図情報ＤＢ３１の更新等が行われる。また、音楽ＣＤが挿入された場合には音楽データのリッピングについても行われる。
【００３９】
また、リーダライタ８は、ナビゲーション装置２の外壁部分に形成されたメモリ挿入口７に挿入された携帯型メモリ４に対するデータの読み取り及び書き込みを行う装置である。
【００４０】
また、通信モジュール１８は、交通情報センタ、例えば、ＶＩＣＳ（登録商標：Vehicle Information and Communication System）センタやプローブセンタ等から送信された渋滞情報、規制情報、交通事故情報等の各情報から成る交通情報を受信する為の通信装置であり、例えば携帯電話機やＤＣＭが該当する。
【００４１】
続いて、前記構成を有するデータ移動システム１において移動元ナビゲーション装置２のナビゲーションＥＣＵ９及び移動先ナビゲーション装置３のナビゲーションＥＣＵ１２が実行するデータ移動処理プログラムについて図３及び図４に基づき説明する。図３は本実施形態に係るデータ移動処理プログラムのフローチャートである。図４はデータ移動処理プログラムの実行中に移動元ナビゲーション装置２及び移動先ナビゲーション装置３において液晶ディスプレイ１５に表示される案内画面を示した図である。ここで、データ移動処理プログラムは各ナビゲーション装置２、３が設置された車両のＡＣＣがＯＮされた後に実行され、移動元ナビゲーション装置２のＨＤＤ５に記憶されたデータを移動先ナビゲーション装置３のＨＤＤ６へと移動させるプログラムである。尚、以下の図３にフローチャートで示されるプログラムは、移動元ナビゲーション装置２が備えているＲＡＭやＲＯＭ及び移動先ナビゲーション装置３が備えているＲＡＭやＲＯＭに記憶されており、ＣＰＵにより実行される。
【００４２】
先ず、移動元ナビゲーション装置２のナビゲーションＥＣＵ９が実行するデータ移動処理プログラムについて説明する。
ステップ（以下、Ｓと略記する）１において、移動元ナビゲーション装置２のＣＰＵ（以下、移動元ＣＰＵという）はナビゲーション装置のメニュー画面において“データＥｘｐｏｒｔ”が選択されたか否かを判定する。ここで、“データＥｘｐｏｒｔ”はＨＤＤ５に記憶された音楽データ３２を移動対象データとして他のナビゲーション装置へと移動させることをユーザが希望する場合に、ユーザによって選択される。
【００４３】
そして、メニュー画面において“データＥｘｐｏｒｔ”が選択されたと判定された場合（Ｓ１：ＹＥＳ）には、Ｓ２へと移行する。それに対して、メニュー画面において“データＥｘｐｏｒｔ”が選択されていないと判定された場合（Ｓ１：ＮＯ）には、当該データ移動処理を終了する。
【００４４】
Ｓ２において移動元ＣＰＵは、移動対象データの移動先となる移動先ナビゲーション装置３の識別ＩＤを入力させる識別ＩＤ入力画面５１（図４参照）を液晶ディスプレイ１５に表示する。尚、移動先ナビゲーション装置３の識別ＩＤは、後述のＳ２２において移動先ナビゲーション装置３によってユーザに案内される。そして、識別ＩＤ入力画面５１が表示された状態で、ユーザは操作部１４を操作することによって移動先ナビゲーション装置３の識別ＩＤを入力する。
【００４５】
その後、Ｓ３において移動元ＣＰＵは、識別ＩＤ入力画面において移動先ナビゲーション装置３の識別ＩＤが入力されたか否かを判定する。そして、識別ＩＤ入力画面において移動先ナビゲーション装置３の識別ＩＤが入力されたと判定された場合（Ｓ３：ＹＥＳ）には、Ｓ４へと移行する。それに対して、識別ＩＤ入力画面において移動先ナビゲーション装置３の識別ＩＤが入力されていないと判定された場合（Ｓ３：ＮＯ）には、入力されるまで待機する。
【００４６】
Ｓ４において移動元ＣＰＵは、本装置のＨＤＤ５から移動対象データである音楽データ３２を読み出す。
【００４７】
続いて、Ｓ５において移動元ＣＰＵは、ＲＯＭ４３に予め記憶された本装置の識別ＩＤと識別ＩＤ入力画面５１において入力された移動先ナビゲーション装置３の識別ＩＤとに基づいて、前記Ｓ４で読み出した移動対象データを使用不可能な状態に変更した移動データを生成する。具体的には、移動元ＣＰＵは、本装置の識別ＩＤと移動先ナビゲーション装置３の識別ＩＤとを用いて、移動対象データを所定の暗号化プログラムで暗号化処理を行う。そして、暗号化された移動対象データが移動データとなる。尚、移動対象データは現時点ではＨＤＤ５から削除されずにＨＤＤ５に記録された状態にある。
【００４８】
次に、Ｓ６において移動元ＣＰＵは、前記Ｓ５で生成された移動データを、リーダライタ８を用いてメモリ挿入口７に挿入された携帯型メモリ４に書き込む。尚、メモリ挿入口７に対して携帯型メモリ４が挿入されていない場合には、その旨を警告する。また、メモリ挿入口７に対して携帯型メモリ４が挿入されている場合であっても、前記Ｓ５で生成された移動データのデータサイズに対して空き容量が不足する場合にはその旨を警告する。
【００４９】
その後、Ｓ７において移動元ＣＰＵは、削除コードを入力させる削除コード入力画面５２（図４参照）を液晶ディスプレイ１５に表示する。尚、削除コードは、後述のＳ２７において移動データが移動されたことを検出した移動先ナビゲーション装置３によってユーザに案内される。そして、削除コード入力画面５２が表示された状態で、ユーザは操作部１４を操作することによって削除コードを入力する。
【００５０】
その後、Ｓ８において移動元ＣＰＵは、削除コード入力画面において正しい削除コードが入力されたか否かを判定する。そして、削除コード入力画面において正しい削除コードが入力されたと判定された場合（Ｓ８：ＹＥＳ）には、Ｓ９へと移行する。それに対して、削除コード入力画面において正しい削除コードが入力されていないと判定された場合（Ｓ８：ＮＯ）には、入力されるまで待機する。尚、削除コードは後述するように移動元ナビゲーション装置２の識別ＩＤと移動先ナビゲーション装置３の識別ＩＤに基づいて作成される。従って、移動元ＣＰＵは、ＲＯＭ４３に予め記憶された本装置の識別ＩＤと識別ＩＤ入力画面５１において入力された移動先ナビゲーション装置３の識別ＩＤとに基づいて、入力された削除コードが正しいか否かを判定することが可能となる。
【００５１】
Ｓ９において移動元ＣＰＵは、本装置のＨＤＤ５から移動対象データである音楽データ３２を削除する。
【００５２】
続いて、Ｓ１０において移動元ＣＰＵは、ＲＯＭに予め記憶された本装置の識別ＩＤと識別ＩＤ入力画面５１において入力された移動先ナビゲーション装置３の識別ＩＤとに基づいて、解除コードを生成する。解除コードは、移動先ナビゲーション装置３に移動された移動データを使用可能な状態に変更する為に入力することが必要なコードである。
【００５３】
その後、Ｓ１１において移動元ＣＰＵは、前記Ｓ１０で生成された解除コードをユーザに案内する解除コード案内画面５３（図４参照）を液晶ディスプレイ１５に表示する。そして、ユーザは解除コード案内画面５３を視認することによって、解除コードと、その解除コードが移動先ナビゲーション装置３において入力することが必要なコードであることを把握することが可能となる。その後、当該データ移動処理プログラムを終了する。尚、ユーザは前記Ｓ１１で案内された解除コードを、後述のＳ２８で表示された解除コード入力画面において入力する。
【００５４】
次に、移動先ナビゲーション装置３のナビゲーションＥＣＵ１２が実行するデータ移動処理プログラムについて説明する。
Ｓ２１において、移動先ナビゲーション装置３のＣＰＵ（以下、移動先ＣＰＵという）はナビゲーション装置のメニュー画面において“データＩｍｐｏｒｔ”が選択されたか否かを判定する。ここで、“データＩｍｐｏｒｔ”は他のナビゲーション装置から本装置に移動対象データを移動させることをユーザが希望する場合に、ユーザによって選択される。
【００５５】
そして、メニュー画面において“データＩｍｐｏｒｔ”が選択されたと判定された場合（Ｓ２１：ＹＥＳ）には、Ｓ２２へと移行する。それに対して、メニュー画面において“データＩｍｐｏｒｔ”が選択されていないと判定された場合（Ｓ２１：ＮＯ）には、当該データ移動処理を終了する。
【００５６】
Ｓ２２において移動先ＣＰＵは、本装置の識別ＩＤを案内する識別ＩＤ案内画面６１（図４参照）を液晶ディスプレイ１５に表示する。ここで、識別ＩＤは移動先ナビゲーション装置３を識別する為の固有のＩＤである。そして、ユーザは識別ＩＤ案内画面６１を視認することによって、移動先ナビゲーション装置３の識別ＩＤと、その識別ＩＤが移動元ナビゲーション装置２において入力することが必要なＩＤであることを把握することが可能となる。その後、ユーザは前記Ｓ２２で案内された移動先ナビゲーション装置３の識別ＩＤを、前記Ｓ２において移動元ナビゲーション装置２に表示される識別ＩＤ入力画面５１で入力する。尚、移動先ナビゲーション装置３の識別ＩＤは例えば移動先ナビゲーション装置３のＲＯＭ等に記憶されている。
【００５７】
Ｓ２３において移動先ＣＰＵは、リーダライタ１１によりメモリ挿入口１０に挿入された携帯型メモリ４から移動データを読み出す。尚、メモリ挿入口１０に対して携帯型メモリ４が挿入されていない場合には、その旨を警告する。また、メモリ挿入口１０に対して携帯型メモリ４が挿入されている場合であっても、移動データが記憶されていない場合にはその旨を警告する。
【００５８】
次に、Ｓ２４において移動先ＣＰＵは、前記Ｓ２３において携帯型メモリ４から読み出した移動データをＨＤＤ６に格納する。尚、移動データには移動元ナビゲーション装置２の識別ＩＤについても付加されている。
【００５９】
更に、Ｓ２５において移動先ＣＰＵは、携帯型メモリ４に記憶されている移動データを削除する。
【００６０】
続いて、前記Ｓ２３〜Ｓ２５において移動データが移動されたこと（即ち、移動データがＨＤＤ６に格納され、携帯型メモリ４から移動データが削除されたこと）を検出したときに、Ｓ２６において移動先ＣＰＵは、ＲＯＭに予め記憶された本装置の識別ＩＤと移動データとともに取得した移動元ナビゲーション装置２の識別ＩＤとに基づいて、削除コードを生成する。削除コードは、移動元ナビゲーション装置２に格納されている移動対象データを削除し、解除コードを表示させる為に入力することが必要なコードである。
【００６１】
その後、Ｓ２７において移動先ＣＰＵは、前記Ｓ２６で生成された削除コードをユーザに案内する削除コード案内画面６２（図４参照）を液晶ディスプレイ１５に表示する。そして、ユーザは削除コード案内画面６２を視認することによって、削除コードと、その削除コードが移動元ナビゲーション装置２において入力することが必要なコードであることを把握することが可能となる。尚、ユーザは前記Ｓ２７で案内された削除コードを、前記Ｓ７で表示された削除コード入力画面において入力する。
【００６２】
その後、Ｓ２８において移動先ＣＰＵは、解除コードを入力させる解除コード入力画面を液晶ディスプレイ１５に表示する。尚、本実施例では解除コード入力画面は削除コード案内画面６２と共通の画面とする。そして、解除コード入力画面が表示された状態で、ユーザは操作部１４を操作することによって解除コードを入力する。尚、解除コードは、前記Ｓ１１において移動元ナビゲーション装置２によってユーザに案内される。
【００６３】
その後、Ｓ２９において移動先ＣＰＵは、解除コード入力画面において正しい解除コードが入力されたか否かを判定する。そして、解除コード入力画面において正しい解除コードが入力されたと判定された場合（Ｓ２９：ＹＥＳ）には、Ｓ３０へと移行する。それに対して、解除コード入力画面において正しい解除コードが入力されていないと判定された場合（Ｓ２９：ＮＯ）には、入力されるまで待機する。尚、解除コードは前記したように移動元ナビゲーション装置２の識別ＩＤと移動先ナビゲーション装置３の識別ＩＤに基づいて作成される。従って、移動先ＣＰＵは、ＲＯＭに予め記憶された本装置の識別ＩＤと移動データとともに取得した移動元ナビゲーション装置２の識別ＩＤとに基づいて、入力された解除コードが正しいか否かを判定することが可能となる。
【００６４】
Ｓ３０において移動先ＣＰＵは、本装置のＨＤＤ６から移動データを読み出し、移動データを使用可能な状態に変更する。具体的には、移動先ＣＰＵは、本装置の識別ＩＤと移動元ナビゲーション装置２の識別ＩＤとを用いて、移動データを所定の暗号解除プログラムで暗号解除処理を行う。そして、使用可能な状態に変更された移動データは移動対象データである音楽データ３２となり、移動先ナビゲーション装置３において音楽データ３２に基づく音楽の再生が可能となる。
以上より、移動元ナビゲーション装置２のＨＤＤ５から移動先ナビゲーション装置３のＨＤＤ６へと移動対象データである音楽データ３２が移動されることとなる。
【００６５】
以上詳細に説明した通り、本実施形態に係る移動元ナビゲーション装置２、移動元ナビゲーション装置２と移動先ナビゲーション装置３によって構成されるデータ移動システム１では、移動元ナビゲーション装置２のＨＤＤ５に記憶された移動対象データを使用不可能な状態に変更した移動データを生成し（Ｓ５）、生成した移動データを、携帯型メモリ４を用いて移動元ナビゲーション装置２から移動先ナビゲーション装置３のＨＤＤ６へと移動し（Ｓ６、Ｓ２３〜Ｓ２５）、移動元ナビゲーション装置２のＨＤＤ５に記憶された移動対象データが削除（Ｓ９）された後に、移動元ナビゲーション装置２において解除コードを案内し（Ｓ１１）、移動先ナビゲーション装置３において表示された解除コード入力画面において解除コードが入力された場合に、移動先ナビゲーション装置３のＨＤＤ６に記憶された移動データを使用可能な状態へと変更する（Ｓ３０）ので、移動元ナビゲーション装置２と移動先ナビゲーション装置３で移動対象データを使用可能となる期間が重なることがない。従って、携帯型の記憶媒体（ＵＳＢフラッシュメモリ、ＳＤメモリーカード等）を介して他の装置へデータを移動させる場合であっても、適切に著作権を保護することが可能となる。また、従来と比べて他の装置へのデータの移動が必要以上に制限されることがない利点がある。
また、移動データが移動先ナビゲーション装置３に移動された後に移動先ナビゲーション装置３で案内（Ｓ２７）される削除コードを用いることによって、移動元ナビゲーション装置２元の装置に記憶された移動対象データを削除する（Ｓ９）ので、装置間でデータの移動を確実に行うことが可能となる。また、移動元ナビゲーション装置２と移動先ナビゲーション装置３で移動対象データを使用可能となる期間が重なることがない。
また、移動元識別ＩＤと移動先識別ＩＤとに基づいて移動データが生成されるので、移動させる装置間の固有の形式によって移動データを生成することが可能となる。それによって、不特定多数の装置へと移動データが移動された場合であっても、移動先ナビゲーション装置３でのみ移動データを使用可能な状態に変更できるので、適切に著作権を保護することが可能となる。
また、移動元識別ＩＤと移動先識別ＩＤとに基づいて削除コードが生成されるので、移動させる装置間の固有の形式によって削除コードを生成することが可能となる。それによって、移動先ナビゲーション装置３へと移動データが移動されるまで、移動元ナビゲーション装置２に記憶された移動対象データが削除されることなく、移動先ナビゲーション装置３へと移動データが移動された後は、移動元ナビゲーション装置２に記憶された移動対象データを確実に削除することが可能となる。
また、移動元識別ＩＤと移動先識別ＩＤとに基づいて解除コードが生成されるので、移動させる装置間の固有の形式によって解除コードを生成することが可能となる。それによって、不特定多数の装置へと移動データが移動された場合であっても、移動先ナビゲーション装置３でのみ移動データを使用可能な状態に変更できるので、適切に著作権を保護することが可能となる。
【００６６】
尚、本発明は前記実施形態に限定されるものではなく、本発明の要旨を逸脱しない範囲内で種々の改良、変形が可能であることは勿論である。
例えば、本実施形態では移動元ナビゲーション装置２から移動先ナビゲーション装置３へとデータを移動させる手段として携帯型メモリ４を用いているが、移動元ナビゲーション装置２と移動先ナビゲーション装置３とを有線又は無線で接続することによってデータを移動させる構成としても良い。その場合には、Ｓ６において移動データを移動先ナビゲーション装置３へと送信する処理が行われ、Ｓ２３で移動元ナビゲーション装置２から送信された移動データを受信する処理が行われる。また、Ｓ２５の処理は不要となる。
【００６７】
また、本実施形態ではデータ記憶装置としてナビゲーション装置を例に挙げて説明したが、データを記憶する記憶媒体を備える装置であれば他の装置であっても良い。例えば、音楽プレーヤ、携帯端末、パーソナルコンピュータなどであっても良い。
【符号の説明】
【００６８】
１        データ移動システム
２        移動元ナビゲーション装置
３        移動先ナビゲーション装置
４        携帯型メモリ
５        （移動元ナビゲーション装置の）ＨＤＤ
６        （移動先ナビゲーション装置の）ＨＤＤ
９        （移動元ナビゲーション装置の）ナビゲーションＥＣＵ
１２      （移動先ナビゲーション装置の）ナビゲーションＥＣＵ
【図１】
2011204078.tif 000003
【図２】
2011204078.tif 000004
【図３】
2011204078.tif 000005
【図４】
2011204078.tif 000006